(57)【要約】  通信システムと一体化された、識別データを検索し照合する装置（１）および関連する方法は、広範な慎重に取り扱うべき識別データの収集だけでなく、それらを処理し、それらを暗号化した形式で転送し、正確な時間参照情報および位置参照情報を割り付けることを可能にし、典型的には視覚および／または音声データであるデータのディジタル取得手段と、測位手段と、時間測定手段と、ディジタル転送手段と、マイクロプロセッサと、慎重に取り扱うべきデータの暗号化手段と、装置ユーザの識別手段と、時間参照情報および位置参照情報を視覚および／または音声データに割り付け、装置ユーザを識別する暗号化形式でそれらを転送するソフトウェアとを用いる。
2010527528.tif 000002
【特許請求の範囲】
【請求項１】
特に視覚および／または音声データであるデータのディジタル取得手段と、
測位手段と、
計時手段と、
ディジタル転送手段と、
マイクロプロセッサ（２４）と、
慎重に取り扱うべきデータの暗号化手段と、
装置ユーザを識別する手段と、
前記視覚および／または音声データに時間参照情報および位置参照情報を割り付け、前記装置ユーザを識別する暗号化形式でそれらを転送するソフトウェアと、
を含む、通信システムと一体化されたデータ検索装置（１）。
【請求項２】
読み取り、並びに、文字および／または画像および／または音声を認識するソフトウェアをさらに含む、請求項１に記載の装置（１）。
【請求項３】
マイクロチップ読み取りのためのセンサをさらに含む、請求項１に記載の装置（１）。
【請求項４】
前記ディジタル取得手段は、写真形式の画像を取得する手段またはビデオを撮影する手段を含む、請求項１に記載の装置（１）。
【請求項５】
前記ディジタル取得手段は、指紋を取得する手段を含む、請求項１に記載の装置（１）。
【請求項６】
前記ディジタル取得手段は、虹彩を読み取る手段を含む、請求項１に記載の装置（１）。
【請求項７】
前記ディジタル取得手段は、少なくとも１つのマイクを含む、請求項１に記載の装置（１）。
【請求項８】
前記測位手段は、人工衛星を利用するものである、請求項１に記載の装置（１）。
【請求項９】
前記ディジタル転送手段は、移動体通信手段を含む、請求項１に記載の装置（１）。
【請求項１０】
前記ディジタル転送手段は、無線転送手段を含む、請求項１に記載の装置（１）。
【請求項１１】
前記ディジタル転送手段は、適切に配設された差し込みを通して機能する有線手段を含む、請求項１に記載の装置（１）。
【請求項１２】
不正使用防止手段を備える完全に密閉された堅い本体（２）を含む、請求項１に記載の装置（１）。
【請求項１３】
片手で握るのに適し、その前面にインターフェイスが設けられ、入出力手段を含む、手で持って操作できる装置である、請求項１２に記載の装置（１）。
【請求項１４】
前記入出力手段は、スクリーン（３）を含む、請求項１２に記載の装置（１）。
【請求項１５】
前記スクリーン（３）は、タッチスクリーンである、請求項１４に記載の装置（１）。
【請求項１６】
前記入出力手段は、キーボード（５）を含む、請求項１５に記載の装置（１）。
【請求項１７】
前記ディジタル取得手段は、音声検出および録音手段を含む、請求項７に記載の装置（１）。
【請求項１８】
少なくとも１つのスピーカを含む、請求項１に記載の装置（１）。
【請求項１９】
電話機として機能し得る手段を含む、請求項１に記載の装置（１）。
【請求項２０】
電話用のイヤフォンに接続できるオーディオ接続差し込み（８）を含む、請求項１９に記載の装置（１）。
【請求項２１】
前記写真形式の画像を取得する手段および前記ビデオを撮影する手段（１２）は、センサ（１４）の前に配置され、撮影する画像を照明するためのＬＥＤ方式の照明手段（１５）によって取り囲まれた対物レンズ（１３）を含む、請求項４に記載の装置（１）。
【請求項２２】
前記ＬＥＤ方式の照明手段（１５）は、普通光と赤外光とを発する、請求項２１に記載の装置（１）。
【請求項２３】
前記装置（１）を使用するユーザを識別する手段は、画像を取得する手段（１２）を含む、請求項４に記載の装置（１）。
【請求項２４】
前記装置（１）を使用するユーザを識別する手段は、少なくとも１つのマイクを含む、請求項７に記載の装置（１）。
【請求項２５】
前記装置（１）を使用するユーザを識別する手段は、マイクロチップ読み取りセンサを含む、請求項３に記載の装置（１）。
【請求項２６】
前記装置（１）を使用するユーザを識別する手段は、指紋を取得する手段を含む、請求項５に記載の装置（１）。
【請求項２７】
前記指紋を取得する手段は、走査面（１６）を含む、請求項５に記載の装置（１）。
【請求項２８】
前記人工衛星を利用する測位手段は、適切に干渉を防止したＧＰＳアンテナ（１８）を含む、請求項８に記載の装置（１）。
【請求項２９】
前記慎重に取り扱うべきデータの暗号化手段は、前記本体（２）の中の暗号化カード（２２）を含む、請求項１２に記載の装置（１）。
【請求項３０】
前記計時手段は、前記本体（２）の中の収集したデータに時間参照情報割り付けることができるディジタル時計を含む、請求項１２に記載の装置（１）。
【請求項３１】
視覚および／または音声データを検索および処理する方法であって、
ディジタル取得手段によって前記視覚および／または音声データを取得するステップと、
前記視覚および／または音声データから得られたファイルに、時間参照情報および／または位置参照情報、並びに、検索するオペレータの身元に関する参照情報を割り付けるステップと、
得られたファイルを暗号化し、それをディジタル転送するために配するステップとを含む方法。
【請求項３２】
前記視覚および／または音声データは、ビデオおよび／または録音、写真画像、画像読み取り、および、登録番号、ＭＲＴＤ−ＩＣＡＯ規格に準書した読み取り片に含まれるデータ、バーコードに含まれるデータ、指紋の読み取りデータ、電子文書のマイクロチップからのデータ、顔または声の調子の読み取り情報として取得される情報の一部を含む、請求項３１に記載の方法。
【請求項３３】
前記時間参照情報および前記位置参照情報の両方が割り付けられる、請求項３１に記載の方法。
【請求項３４】
前記時間参照情報および前記位置参照情報が自動的に割り付けられる、請求項３３に記載の方法。
【請求項３５】
前記ディジタル転送するために配される前記ファイルは、保護されたラインまたは接続を通して転送される、請求項３１に記載の方法。
【請求項３６】
前記ディジタル転送するために配される前記ファイルは、収集した情報の一部の確認のために１つ以上のデータベースに接続されたメインフレームに転送される、請求項３５に記載の方法。
【請求項３７】
前記オペレータを識別するステップを提供する、請求項３１に記載の方法。
【請求項３８】
前記ディジタル転送するために配される前記ファイルに、非対称二重キーが割り当てられる、請求項３７に記載の方法。
【発明の詳細な説明】
【技術分野】
【０００１】
本発明は、通信システムと一体化され、慎重に取り扱うべき識別データを検索して照合する装置に関する。本発明は、データを検索して識別し、また証明する方法にも関する。
【背景技術】
【０００２】
データを照合および識別する様々な機能を果たす装置が知られている。しかしながら、互いに異なる処理を実現することを要求し、適切な集中型データベースおよび他の装置と通信する必要がある、多くの種類の確認が存在する。
【０００３】
さらに、そのような装置は、集めて照合したデータが改ざんされることを防止し、この種の装置の不正使用を防止するために、厳密なセキュリティ規準を満たさなければならないことが意図される。
【発明の概要】
【発明が解決しようとする課題】
【０００４】
本発明の課題は、集めたデータ収集物について異なる機能を実行できるだけでなく、高い通信およびセキュリティ機能を有する、一体化された装置を提供することである。
【課題を解決するための手段】
【０００５】
この課題は、
視覚および／または音声データを取得する手段と、
人工衛星による測位手段と、
時間を計測するための手段と、
ディジタル転送手段と、
マイクロプロセッサと、
慎重に取り扱うべきデータの暗号化手段と、
装置ユーザを識別する手段と、
前記視覚および／または音声データに時間参照情報および位置参照情報を割り付け、装置ユーザを識別する暗号化した形態にそれらを変換するソフトウェアと、
を含んだ上述の装置によって達成される。
【０００６】
そのような装置の実施形態は、読み取り、並びに、文字および／または画像および／または音声を認識するソフトウェアを提供する。入力装置としてタッチスクリーン、キーボードおよび少なくとも１つのマイクを含み得る入出力手段が提供されてもよい。
【０００７】
装置ユーザを識別する手段は、装置自身の中に一体化された、マイクロチップまたは他のカードを読み取るためのセンサを含み得る。前記センサは、身分証明文書の確認および生体認証データを読み取るためにも使用され得る。
【０００８】
視覚および／または音声データを取得する手段は、写真形式の画像を読み取る手段か、ビデオ撮影手段か、或いは指紋読み取り手段または場合により虹彩読み取り手段および少なくとも１つのマイクかのいずれかを含み得る。
【０００９】
人工衛星による測位手段は、ＧＰＳ規格または他の相当するシステムに従って動作する人工衛星アンテナを含み得る。
【００１０】
ディジタル転送手段は、公知の規格（ＧＳＭ、ＧＰＲＳ、ＵＭＴＳ等）のいずれかに従って動作する移動体通信手段、例えばＷｉ−ＨｉまたはＢｌｕｅｔｏｏｔｈ規格に準処した無線通信手段、適切に配設された通信プラグを通して動作する有線手段、または、前記手段の組み合わせを含み得る。
【００１１】
上述の装置の主たる利点は、広範な識別する慎重に取り扱うべきデータの収集だけでなく、それらについて暗号形式で処理および転送し、それらに適格な時間参照情報および位置参照情報を割り付けることを可能にする。
【００１２】
したがって、本発明は、視覚および／または音声データを検索して処理する方法を、
前記視覚および／または音声データをディジタル取得手段によって取得するステップと、
前記視覚および／または音声データから生じるファイルに、時間参照情報および／または位置参照情報および検索オペレータの識別に関する参照情報を割り付けるステップと、
生じたファイルを暗号化し、それをディジタル転送するために配するステップと、
を含むものとする。
【図面の簡単な説明】
【００１３】
【図１】その機能を示す、本発明に係る通信システムと一体化された、データを検索および照合する装置の斜視図である。
【図２】図１の装置の付属品のある斜視図である。
【図３】図１の装置の内部の要素の斜視図である。
【図４】図１の装置の分解斜視図である。
【図５】図１の装置の電子部品の間の接続に関する構成図である。
【図６】図１の装置の電子部品の間の接続に関する構成図である。
【図７】図１の装置の電子部品の間の接続に関する構成図である。
【発明を実施するための形態】
【００１４】
図面を参照すると、識別データを検索、照合および転送できる装置は、全体が１で示されている。
【００１５】
それは、耐衝撃材料からなり、完全に密閉された、気象要素からも内部を保護するのに好ましい堅い本体２を含む。本体２の表面は、滑り止めになっている。それは、衝撃および踏み潰しにも耐え得る。特に、本体２は、ＩＰ５４規格、つまり、埃および散水のある中で操作でき、尖ったものが貫通しないものに合致し得る。
【００１６】
その全体の外観に一致して、装置１は、手で持って操作できる装置であり、望ましくは、片手で握られ、その前面にグラフィックインターフェイスを備える。
【００１７】
そのような表面に、装置１は、接触感応式（タッチスクリーン）の、それによって入出力装置として動作するスクリーン３を含む。さらにこの表面には、表示オン・オフボタン４が、カーソルキーパッド、中央のエンターキーおよび他の２つのファンクションキーを有するカーソルを移動させるのに好ましい種類のキーボード５とともに存在する。
【００１８】
装置１は、装置１の本体２の上のマイク入力口６として示された、音声を検出および録音する手段、並びに、スピーカも含む。マイクおよびスピーカは電話機として使用するのに適する。
【００１９】
スクリーン３は、画像出力を可能にするが、画像メニューの好ましい機能アイコンを通して画像入力をすることも可能にする。当然に、従来の数値キーパッドまたは英字キーボードも表示できる。
【００２０】
そのような接触感応スクリーン３、キーボード５およびマイク６は、全体として装置１の入出力手段をなす。
【００２１】
さらに、７で全体が示された、装置の異なる動作機能を表示する機能表示灯が存在する。
【００２２】
側面には、例えばＵＳＢ形式の、オーディオ接続８、電源供給９、および、ＰＣ接続１０のための差し込みが存在する。しかしながら、それは、ディジタル形式でデータを転送するのに好ましい、いかなるデータ転送の差し込みも設けられ得ることを意図する。オーディオ接続差し込み８は、好ましくは上述の電話機のイヤフォンに接続できる。
【００２３】
装置１は、さらなる差し込みを有し、所望のドッキングステーション（図２）を通して操作することもできる。
【００２４】
装置１は、底面にカードＣを挿入するためのスリット１１を有し、装置の内部には、マイクロチップを読み取るセンサが設けられている。
【００２５】
そのようなセンサは、個別の身分証明データを含んだマイクロチップが設けられた文書を照合する動作を行うことができる。このセンサは、とにかく、証拠等の検索のために装置を使用するオペレータを識別する手段として機能する。
【００２６】
事実として、装置は、承認されたオペレータのリストに名前が載っているオペレータの身分証明文書の挿入の後にしか動作しないように構成され得る。装置１は、また、取得したデータに割り付けるために、ユーザの身元を記録する。
【００２７】
装置１は、反対側の面に、ディジタル形式の、写真撮影およびビデオ撮影ができる、画像を取得する手段１２を有する。そのような画像取得手段１２は、センサ１４の前に配置され、撮影すべき画像を照明するためのＬＥＤ方式の照明部材１５に取り囲まれた対物レンズ１３を含む。有利には、そのようなＬＥＤは、普通光および赤外光を発する。
【００２８】
前記画像取得手段１２は、例えば顔認証または虹彩読み取りを通して、証拠等の検索ために装置を使用するオペレータを識別する手段としても機能し得る。同様に、前記音声検出および記録手段は、例えばオペレータの声の調子を識別することにより、証拠等の検索ために装置を使用するオペレータを識別する手段としても機能し得る。
【００２９】
装置１は、さらに、シリコン型の走査面１６を含む指紋読み取り手段を有する。後者は、例えばオペレータの指紋を識別することにより、証拠等の検索ために装置を使用するオペレータを識別する手段としても機能し得ることが明らかである。
【００３０】
特に、装置１の操作は、オペレータの識別データ、例えば指紋が記録されているチップカードの挿入の後、且つ、例えば走査面１６を通した、そのようなデータの確認の後にのみ許可される。このような方法では、装置は、一人のオペレータとだけ関係付けられておらず、オペレータは装置を使用する前に彼自身の身元を証明しなければならない。
【００３１】
同時の事前準備が、収集されたデータの検証にも適用されてもよい。
【００３２】
そして、適切に保護されたＧＰＳアンテナ１８を含む人工衛星方式の測位手段が設けられている。本実施形態に係る装置は、移動体通信手段を含み、この目的のために、装置１は、例えばＧＳＭ、ＵＭＴＳ等の可能な規格のいずれかに従う携帯電話として機能する状態に装置を置くために、内部にＳＩＭカードを受け入れる一対のスロット１９を含む。そのような通信手段を通じて、装置をネットワークに接続できることが企図されている。
【００３３】
装置１の内部は、ＧＳＭアンテナのような移動体通信用のアンテナ２０、バッテリ２１、並びに、暗号化カード２２、メモリカード２３およびプロセッサ２４を収容する。携帯可能なメモリカード２５は、収集したデータの持ち運びのためにも設けられ得る。
【００３４】
暗号化カード２２は、マイクロプロセッサ２４とともに慎重に取り扱うべき識別データの、それらを完全に安全な方法で無線転送するための暗号化手段を構成する。事実として、情報暗号化の原理として使用されるコードは、前記カード、すなわち、そのメモリエレメントに収容されており、前記情報の要素を、同じ暗号化コードを含む装置によって読み取ることができる、さらなる改変が防止された暗号化ファイルとして転送するためにマイクロプロセッサ２４に利用される。
【００３５】
特に、暗号化カード２２の役割は、ディジタル署名をファイルに割り付けるものであり、有利には非対称二重暗号化キー方式のものである。
【００３６】
それらの可能性の中で、装置は、Ｗｉ−ＨｉおよびＢｌｕｅｔｏｏｔｈ規格に準処したさらなる無線通信システムを列挙する。
【００３７】
移動体通信手段、有線転送用の差し込みおよび上述の無線通信システム、並びに、他の類似のシステムは、装置１のディジタル転送手段を構成する。
【００３８】
装置は、時間を計測する手段、すなわち、収集したデータに時間を割り当てるのに適したディジタルクロックも含む。
【００３９】
最後に、上述のように密閉された本体の中に封入されている装置は、収集したデータの安全を担保するために、前記本体の不正使用を検出する手段を有する。
【００４０】
装置１にロードされたソフトウェアは、得られたデータに、先に説明した手段によって収集した時間参照情報、位置参照情報およびオペレータの身元に関する参照情報を割り付けるという目的を有する。
【００４１】
ソフトウェアは、装置に、特に画像管理、例えば読み取りプレート、バーコード、ＭＲＴＤ規格による読み取り片等の読み取りおよび文字認識、地図上での装置の測位、時間計測等のさらなる機能を可能にする。
【００４２】
上述の可能性の傍ら、装置１は、例えばパスポート等の生体データの読み取りのためのＲＩＦＤチップの読み取り装置を備え得る。
【００４３】
上述の可能性は、図５，６および７の構成図に示されている。装置１は、プロセッサ２４を有するメイン基板２５と、補助基板２６とを含む。前者は、電話モジュール２７、接触感応スクリーンモジュール２８および指紋読取モジュール２９に接続されている。後者は、ＧＳＭアンテナ２０およびバッテリ２１に接続されている。当然ながら、２つの基板は、接続部３５を通して互いに接続されている。
【００４４】
視覚および／または音声データの検索および処理の方法に関し、視覚および音声データは、ディジタル読み取りまたはディジタル録音によって得られ、それにより装置１に記録されるデータファイルを生成するあらゆるデータを意図するものと定められる。
【００４５】
例えば、視覚および／または音声データは、ビデオ録画および／または録音、写真画像、画像および情報の一部の読み取りによって得られる登録コード、ＭＲＴＤ−ＩＣＡＯ規格に準処した読み取り片に含まれるデータ、バーコード等に含まれるデータ、指紋読み取り情報、電子文書チップから得られるデータ、顔または声の調子の読み取り等で構成される。
【００４６】
この方法の目的は、法的証明に適した、それにより、発見の正確な時間、発見の場所およびオペレータの身元が知られた、対象物品の情報のそれらの部分の１つ以上を転送することである。
【００４７】
後者の情報とは別に、時間参照情報および位置参照情報が、オペレータによって割り当てる必要はないが、装置に１によって装置自身の手段で自動的に割り当てられなければならない。
【００４８】
そのため、前記方法は、装置の中に保護されているファイルを生成するディジタル取得手段により、前記視覚および／または音声データを取得するステップを含む。
【００４９】
同時に、前記方法は、時間参照情報および／または位置参照情報或いは両方を、必要な証明の規準に従って前記生成されたファイルに割り当てる。
【００５０】
さらに、検索を実行しているオペレータに関する参照情報は、ファイルに割り付けられ、電源を入れたときまたは証明が確認されたときに装置に提供される。
【００５１】
その後、生成されたファイルは、装置１に予め読み込まれている暗号化コードに従って暗号化され、改ざん不能である。
【００５２】
この点、ファイルは、例えば上述の通信手段のすべてを通じたディジタル転送の手はずを整えられる。
【００５３】
例えば、それは、パーソナルコンピュータまたはメインフレームのいずれかに転送され、或いは、情報管理上の要求に従って複製され得る
【００５４】
さらに、この方法のさらなる機能が提供され得る。特に、ファイルに含まれる情報の一部は、情報の発見された部分の確認のために１つ以上のデータベースに接続されたメインフレームに転送され得る。
【００５５】
このように、もしも情報が自動車のナンバープレートに関するものであれば、オペレータは、その自動車およびその自動車の所有者のすべてのデータを知ることができる。これらのデータは、当然ながら、送受信のために安全な通信を使用する、例えば携帯電話ネットワークまたはインターネットを通じて、メインフレームから装置に転送される。
【００５６】
どんな場合にも、送受信されたデータは、暗号化されており、メインフレームまたは装置自身のいずれかによって復号される。
【００５７】
同様に、オペレータは、当然に、データを利用可能なデータベースに接続できるならば、彼の指紋の読み取りをまたは彼の顔または声の調子の読み取りを転送する個々の識別データを簡単に受け取ることができる。
【００５８】
電子的文書照合の間、オペレータは、文書の中の利用可能な情報の一部を自由に使えるだけでなく、犯罪通知、逮捕命令、収容指示のようなさらに補助的な部分も自由に使うことができる。
【００５９】
上述したものに係る装置の使用は、特に、治安維持、税関検査、法的証拠の収集などにあたる警官に有用であることが意図される。
【００６０】
しかしながら、そのような装置は、民間、行政または個人の事情でも例えば、フロントで許可されたホテルの設備の受付、民間産業上の検索設備への排他的入場の照合等に使用できる。
【００６１】
通信システムと一体化された、上述のデータを検索し照合する装置について、当業者は、さらなる付随の要求を達成するために、追加の様々な改良および変形をすることができるが、それらはすべて添付の特許請求の範囲に明示した本発明の範囲に含まれる。
【図１】
2010527528.tif 000003
【図２】
2010527528.tif 000004
【図３】
2010527528.tif 000005
【図４】
2010527528.tif 000006
【図５】
2010527528.tif 000007
【図６】
2010527528.tif 000008
【図７】
2010527528.tif 000009
【国際調査報告】
2010527528.tif 000010
2010527528.tif 000011
2010527528.tif 000012